(57)【要約】【課題】  園芸用簡易鉢に植えられた苗木を痛めることなく簡単に栽培場所に植え付けることができ、かつ園芸用簡易鉢を廃棄時に嵩張らないように処分することができる園芸用簡易鉢を提供する。【解決手段】  鉢底部２に、その外周に沿ってミシン目状の底部破断線５ａを設け、さらに、鉢側面部３に２本のミシン目状の側面部破断線１０ａ、１０ｂを設ける。簡易鉢１内の植物を花壇等の栽培場所に植え付ける際に、底部破断線５ａに沿って切り開き、鉢底の大部分を開口部とした状態で簡易鉢１ごと植物を栽培場所に植える。植物を栽培後は、簡易鉢１ごと土から引き抜き、側面部破断線１０ａ、１０ｂに沿って帯状に鉢側面部３の一部を切り取って、残った鉢側面部３を平面的に展開し、複数枚重ね合わせて廃棄処分する。【選択図】  図１
2006081508.tif 000002
【特許請求の範囲】
【請求項１】
シート状部材によって構成され、鉢底部および上記鉢底部の外周を取り囲んで立ち上がる鉢側面部よりなる園芸用簡易鉢であり、上記鉢底部の面内に、上記鉢底部の外周に沿って形成された底部破断線を備えたことを特徴とする園芸用簡易鉢。
【請求項２】
上記鉢側面部の上端部から下端を経て上記底部破断線に達するように縦方向に平行配置された２本の側面部破断線を備えたことを特徴とする請求項１に記載の園芸用簡易鉢。
【請求項３】
上記鉢底部の面内に、上記底部破断線に近接して切り込みを設けることによって形成された底面つまみ部を有し、上記底面つまみ部を保持した状態で上記底部破断線に沿うように引っ張ることで上記底部破断線によって囲まれた部分の上記鉢底部を取り外し可能であることを特徴とする請求項１に記載の園芸用簡易鉢。
【請求項４】
２本の上記側面部破断線は、上記鉢側面部の上端部に向って広がるように斜めに入れられた切り込みが形成され、当該切り込み間に位置する上記鉢側面部により側面つまみ部が形成され、上記側面つまみ部を保持した状態で上記鉢底部側に引っ張ることで２本の上記側面部破断線に沿って上記鉢側面部の一部を帯状に切り取り可能であることを特徴とする請求項２に記載の園芸用簡易鉢。
【請求項５】
上記鉢側面部に、開口部を形成するための側面開口部形成用破断線を設けたことを特徴とする請求項１又は請求項２に記載の園芸用簡易鉢。
【請求項６】
上記側面開口部形成用破断線は、上記鉢側面部の半分の高さまでの任意の位置に、所定領域を囲む横長形状となるように設けたことを特徴とする請求項５に記載の園芸用簡易鉢。
【発明の詳細な説明】
【技術分野】
【０００１】
この発明は、植物等を栽培、搬送するために用いられる園芸用簡易鉢に関するものである。
【背景技術】
【０００２】
ポリポットと呼ばれる従来の園芸用簡易鉢は、シート状部材からなり、鉢底面に水はけ用穴があけられた構造を有していた。一般的に、このような簡易鉢は、植物を園芸店等で販売するまでの育成及び流通の段階において使用され、最終消費者である園芸店等の顧客が、鉢内の植物を花壇等へ植え替えた段階で廃棄処分されていた。
【０００３】
なお、植物を栽培するための植木鉢であって、合成樹脂からなる硬質容器の筒状部分を縦方向に２分割することによって植物の根を痛めることなく鉢外に取り出すことを可能とする技術は既に知られている（例えば、実用新案文献１参照）。
【０００４】
【特許文献１】実開平０１−１７１４９号公報
【発明の開示】
【発明が解決しようとする課題】
【０００５】
近年のガーデニングブームによって、一年草、多年草などの植物の苗木が園芸用簡易鉢（以下、単に簡易鉢と呼ぶ）に植えられて園芸店の店頭に大量に並べられている。通常、そのような苗木を買い求めたユーザーは、簡易鉢から苗木を別の鉢や花壇に植え替えて栽培を行う。しかし、簡易鉢から土を崩さないように、根を痛めないように植物を取り出して植え替える作業は、土の状態にも依存するが、初心者には難しい作業であった。また、空になった簡易鉢は立体的な底付き円筒形状であるため、廃棄処分の際にスペースを要し、廃棄しにくいという問題もあった。
【０００６】
また、ユーザーが一年草などをワンシーズンのみ栽培し、その後に植物を廃棄処分するという場合や、植え付け作業を簡便に行いたい場合に、簡易鉢から花壇等への植え替えを行わず、簡易鉢に植物を植えたままの状態で花壇等に簡易鉢ごと埋めて栽培するという方法を採ることもある。このような場合、簡易鉢の底面に水はけ用の小さな穴しか空いていないと、植物の根は簡易鉢の外に伸びにくく、良好な栽培状態が得られないという問題があった。
【０００７】
この発明は、上記のような問題点を解消するためになされたもので、簡易鉢内の苗木を痛めることなく、簡単に植え替えをすることが可能となる園芸用簡易鉢を提供することを目的とする。また、簡易鉢内の苗木を鉢内から出すことなく、十分な根を張れるように栽培することが可能な園芸用簡易鉢を提供することを目的とする。さらに、廃棄時にかさばらない園芸用簡易鉢を提供することを目的とする。
【課題を解決するための手段】
【０００８】
この発明に係る園芸用簡易鉢は、シート状部材によって構成され、鉢底部および上記鉢底部の外周を取り囲んで立ち上がる鉢側面部よりなる園芸用簡易鉢であり、上記鉢底部の面内に、上記鉢底部の外周に沿って形成された底部破断線を備えたものである。この破断線は、例えば、ミシン目状の切り込みや、連続的又は断続的な薄肉部により形成される。
【０００９】
また、この発明に係る園芸用簡易鉢は、上記のような園芸用簡易鉢であって、上記鉢側面部の上端部から下端を経て上記底部破断線に達するように縦方向に任意の間隔で平行配置された２本の側面部破断線を備えたものである。
【００１０】
さらに、この発明に係る園芸用簡易鉢は、上記のような園芸用簡易鉢であって、上記鉢側面部に、開口部を形成するための側面開口部形成用破断線を設けたものである。
【発明の効果】
【００１１】
この発明の園芸用簡易鉢によれば、底部破断線に沿って鉢底部を部分的に取り外すことができるため、植物を鉢内に入れたままの状態で、その簡易鉢ごと花壇等に植え付けても、植物は簡易鉢底から十分に根を張ることができる。また、植え替え時に鉢内の土が崩れにくく、根を痛める心配がないため、その後の良好な栽培が可能となる。
【００１２】
また、鉢側面部に形成した側面部破断線に沿って、鉢側面部を縦方向に帯状に切り取ることができ、植物の植え替えを行い易く、また、簡易鉢を平面的に展開した状態で複数枚重ね合わせるようにして廃棄処分できるため、かさばらず、処分し易いという効果がある。使用済み簡易鉢をリサイクルする場合にも、平面的に展開しておくことで、鉢内に付着した不純物を取り除くことが簡単となり、また複数枚重ね合わせることでかさばらず、処理をし易いという効果がある。
【００１３】
さらに、この発明の園芸用簡易鉢によれば、側面開口部形成用破断線に沿って、鉢側面部を部分的に切り取って側面開口部を形成することができ、簡易鉢ごと植物等の植え付けを行った場合でも、植物の根をこの側面開口部から横方向に広がりを持って張らせることができるとともに、側面開口部から鉢内に水や養分などを採り入れることが可能となり、植物の良好な栽培状態が得られる。
【発明を実施するための最良の形態】
【００１４】
実施の形態１．
図１〜図２を用いて、この発明の実施の形態１による園芸用簡易鉢について説明する。図１（ａ）は、この発明による園芸用簡易鉢（簡易鉢）１を示す斜視図であり、図１に示すように、この園芸用簡易鉢１は、鉢底部２と、この鉢底部２の外周を取り囲んで立ち上がる略円筒状の鉢側面部３からなり、鉢底部２には、水はけ用穴４が設けられている。このような簡易鉢１は、例えば、ビニールシート等の薄いシート状部材により構成されている。この底面内に、鉢底部２の外周に沿ってミシン目状の底部破断線５ａが設けられている。また、鉢側面部３の上端部から下端を経て底部破断線５ａに達するように、縦方向に任意の間隔で２本のミシン目状の側面部破断線１０ａ、１０ｂが平行配置されている。
【００１５】
ここでいう破断線とは、必要に応じて切り裂くことができる簡易鉢１上の線状部であり、ミシン目状の切り目が施されている。底部破断線５ａ、側面部破断線１０ａ、１０ｂは、あらかじめその金型にミシン目を形成するための突起を連続的に配置させておくことで、簡易鉢１成形と同時に作り込むことが可能である。また、別の方法としては、簡易鉢１を形成後、断続的に切り目を入れることでミシン目状の破断線を形成することが可能である。なお、これらの破断線は、ミシン目状の切り目に代えて、シート状部材を連続的又は断続的に薄肉化させた線状部として実現することもできる。
【００１６】
さらに、底部破断線５ａに接するように、鉢底中央よりの位置にＵ字状の切り込み６ａが形成されている。この切り込み６ａにより底面つまみ部７ａが形成され、この底面つまみ部７ａを指でつまむなどして保持した状態で、底部破断線５ａに沿うように引っ張って切り裂くことで、底部破断線５ａによって囲まれた部分（後述する底面部材２ｃに相当する）、つまり、鉢底部２の大部分を取り外すことができる。
【００１７】
また、２本の側面部破断線１０ａ、１０ｂは、鉢側面部３の上端部において、両者間の間隔が上端部に向かって広がるように斜めに入れられた切り込み８ａ、８ｂが設けられている。鉢側面部３上端部のうち、この切り込み８ａ、８ｂの間に位置する部分が、側面つまみ部９となる。この側面つまみ部９を指でつまむなどして保持し、鉢底部２側に引っ張ることで２本の側面部破断線１０ａ、１０ｂに沿って、帯状に鉢側面部３の一部を切り取ることができ、残った鉢側面部３を平面的な形状に展開することが可能となる。
【００１８】
このような簡易鉢１に植え込まれた植物の苗木を、花壇等の栽培場所に植え付ける場合には、図２（ａ）に示すように、例えば、片手で簡易鉢１全体を包み込むように、内容物である土等を崩さないように保持し、もう一方の手で底部破断線５ａに沿って底面部材２ｃを切り取って、底部破断線５ａに囲まれた底面部材２ｃを除去する。この時、簡易鉢１の底部には、底部破断線５ａに沿った形状の底面開口部２ａが形成され、底面の外周に沿って底面周端部２ｂのみが残された状態となる。次に、あらかじめ花壇等の栽培場所に掘っておいた穴に簡易鉢１ごと埋め、さらに土を被せて植え付ける。
【００１９】
このように簡易鉢１に植物（植物地上部１１ａ、植物の根１１ｂを含む）を植えたままの状態で、簡易鉢１ごと花壇等に植え込むことで、鉢内の植物の根１１ｂを痛めることなく良好な植え付けが可能となる。また、十分な大きさの底部開口部２ａを設けているため、植物の根１１ｂの成長を妨げることなく、良好な栽培状態を得ることができる。なお、図２では、植物の根１１ｂが鉢底から下方に伸びた状態を示しているが、これは栽培時における根の張り方を示したものである。
【００２０】
また、一年草などの植物の栽培終了時には、植物地上部１１ａの茎の部分等を手で握るなどして保持し、上方向に引き抜くことで、簡易鉢１ごと簡単に掘り上げることができる。その後、図２（ｂ）に示すように、側面つまみ部９を保持して下方向に引っ張ることで鉢側面部３を切り開くことができ、取り外した簡易鉢１は平面的に展開した状態で複数枚重ね合わせ、コンパクトに廃棄処分することができる。
【００２１】
また、冬越しが必要となる多年草などの場合、図２（ａ）のような植え方で簡易鉢１ごと植え付けて戸外で栽培し、冬にはこの植物を鉢ごと土から掘り上げて霜よけや温度管理が可能な場所へ移す。スコップ等を用いて掘り上げを行う際、簡易鉢１が根の周りに付いているために、必要な部分だけを掘り上げ易く、作業性をし易くなるという効果もある。冬越しに限らず、その他の掘り上げ作業も同様に行うことが可能である。
【００２２】
また、植物を簡易鉢１に植えたままの状態で、花壇やプランターに植え込むことにより、多くの水を与える必要がある植物と、多くの水を与えては行けない植物とを同じ花壇やプランター内において近接させて植え込んでも良好に栽培することができる。つまり、別途、花壇やプランター内に仕切などを設けなくても、簡易鉢１が仕切となって、各植物ごとに与える水の量を個別に調整することができる。
【００２３】
この簡易鉢１では、底部破断線５ａが、鉢底部２の面内において、その外周に沿って設けられている。この底部破断線５ａは鉢底部２の外周上に設けても良いが、当該外周から所定の距離を隔てた位置、すなわち、外周よりも内側に形成することもできる。外周よりも内側に底部破断線５ａを形成すれば、外周上に形成する場合よりも、鉢底に負荷がかかった場合や、鉢底外周付近に衝撃が加えられたりした場合に、底部破断線５ａが不用意に破断しにくくなり、より望ましい。また、底面外周端部２ｂを残すことで、鉢全体の強度をある程度残すことができるという利点もある。さらに、底面周端部２ｂの厚みを、他の鉢側面部３よりも厚く形成すれば、より丈夫な簡易鉢１を得ることができる。
【００２４】
なお、図１（ａ）においては、底面つまみ部７ａを構成するための切り込み６ａが、底部破断線５ａに接している場合を例示しているが、図１（ｂ）に示すように、底部破断線５ａの近傍であって、底部破断線５ａには接していない位置、かつ底部破断線５ａで囲まれた領域内（底部破断線５ａの内径側の位置）に切り込み６ｂを入れて、底面つまみ部７ｂを構成してもよい。なお、Ｕ字状の切り込み６ａ、６ｂは、図１（ａ）、（ｂ）に示したように、開放端を周方向に向けて配置する他、図１（ｃ）に示すように、開放端を径方向に向けて配置することもできる（切り込み６ｃ。この切り込み６ｃによって底面つまみ部７ｃが構成される）。この切り込み６ａ〜６ｃの開放端の向きについては、簡易鉢１のサイズや、鉢底の形状に合わせて調整する。
【００２５】
上述したように、底面つまみ部７ａは底部破断線５ａの内側に配置されることが望ましい。底面つまみ部７ａを底部破断線５ａの外側に配置したとすれば、底面つまみ部７ａが鉢底から外側に突出した状態となったり、また、通常時に鉢底から突出していなくても、鉢が可撓性であるために、鉢の変形時には鉢底から突出した状態となることが考えられる。この種の簡易鉢は、運搬や陳列の際、トレー内に数多くの鉢が密に配置されることから、底面つまみ部７ａが突出していれば、鉢を持ち上げる際に、隣の鉢に引っ掛かかるなどして、意に反して破断（底抜け）させてしまいかねない。底面つまみ部７ａを内側に配置すれば、このような底抜けを防止することができる。
【００２６】
また、底面つまみ部７ａを底部破断線５ａの内側に配置すれば、必要となる底面周端部２ｂを残して、可能な限り広く底面開口部２ａを取れる。これに対し、底面つまみ部７ａを底面破断線５ａの外側に設ければ、底面つまみ部７ａの形成領域の分だけ、底部破断線５ａを鉢底部２の中央寄りに配置せざるを得ず、底面開口部２ａが小さくなってしまう。
【００２７】
さらに、別の例としては、図１（ｄ）に示すように、底部破断線５ａから、底面つまみ部７ａの幅だけ内径側に、もう１本の底部破断線５ｂを設け、２本の底部破断線５ａ、５ｂが、周方向に開放端を向けて配置されたＵ字状の切り込み６ａ端部の延長上に位置するように簡易鉢１を形成する。この場合、切り込み６ａによって形成された底面つまみ部７ａをつまんで引き剥がすことで、２本の底部破断線５ａ、５ｂに沿って鉢底部２を切り取ることができる。
【００２８】
なお、上記の説明では、鉢底部２に設けられた切り込み６ａ〜６ｃは、Ｕ字状であるとしたが、指先等で保持することができれば、Ｖ字状などの他の形状とすることも可能であることは言うまでもない。また、必要に応じて、底面つまみ部７ａ〜７ｃの中央部分に、すべり止めのための突起等を設けることで、作業者による植え付け作業をより簡便なものとすることができる。
【００２９】
次に、図１に示した簡易鉢１を用いて、別の方法で植物の苗木を花壇等に植え付ける手順について説明する。上述した植え付け方法は、簡易鉢１の鉢底部２を部分的に取り去って鉢ごと土に埋めて植え付ける方法であったが、ここでは、簡易鉢１を全て取り去った状態となるよう植え替える方法について述べる（図示せず）。
【００３０】
まず、植物の苗木等が植えられた簡易鉢１の底部破断線６ａに沿って鉢底部２の一部（底面部材２ｃ）を完全に取り去るか、あるいは底部破断線６ａの終端部のみ破らずに残し、他の部分については切り取りを行って底面部材２ｃを鉢側面部２側に繋げた状態とする。ここで、鉢底から土が落ちないように、また鉢内の土が崩れないように鉢底に手を沿えるなどして作業を進める。
【００３１】
次に、側面部破断線１０ａ、１０ｂに沿って鉢側面部３の一部を帯状に取り去って、鉢側面部３を展開可能な状態とする。この時も、鉢側面部３の切り開いた箇所から土がこぼれ落ちたり、鉢の形状が潰れて鉢内の土が崩れたりしないように、作業者が簡易鉢１の形状を整えつつ作業を行う。ここで、側面部破断線を１本しか設けていないと、鉢展開時に鉢を左右に切り開かなくてはならず、鉢全体が変形し、土が崩れやすいが、この発明のように、２本の破断線を設けることによって、上述したように、側面つまみ部９を保持して下向きに引っ張って帯状に鉢側面３の一部を取り去ることができ、その時に鉢全体の形状を崩すことがなく、根を痛めにくいという利点がある。
【００３２】
次に、植え替え場所となる花壇等に、あらかじめ掘っておいた穴に苗木を簡易鉢１ごと置き、必要に応じて簡易鉢１の周囲に土を埋め戻すなどして簡易鉢１を安定した配置とする。そして、花壇内に配置された簡易鉢１の鉢側面部３上端部を指でつまむなどして保持し、地上にそっと引き抜くことで、花壇内に植物の苗木および鉢の内容物である土等を残した状態で簡易鉢１を速やかに取り外すことが可能となる。その後、必要であれば、さらに土を被せ、水遣りを行うなどして植え付けを終了する。
【００３３】
このような展開可能な簡易鉢１を用いれば、植え付けの段階まで鉢内容物を簡易鉢１で保護できるために、根を痛める心配がなく良好な植え替えができ、また、植え付け後は簡易鉢１を簡単に除去できるために、その後の植物の成長を妨げることがなく、良好な栽培状態を得ることができる。
【００３４】
なお、図１及び図２において、側面部破断線１０ａ、１０ｂが設けられた簡易鉢１を例示したが、例えば、簡易鉢１に底部破断線５ａ（または５ａおよび５ｂ）のみを設け、側面部破断線１０ａ、１０ｂを設けない簡易鉢１としても、底面部材２ｃを取り除いて、その簡易鉢１ごと植え付けを行うことは可能であり、簡単に良好な植え付けができ、その後も良好な栽培状態を得ることができる。
【００３５】
なお、簡易鉢１には、様々な素材からなる軽くて薄いシート状部材が用いられる。例えば、ポリエチレン、ポリアミド、ポリスチレン、ポリプロピレン、塩化ビニルなどの合成樹脂からなる可撓性のシート状部材を用いることができる。また、肥料となる牛フンまたは鶏フンと藁などを混合した素材（有機肥料材料）からなるシート状部材を用いることもできる。有機肥料材料を用いて簡易鉢１を形成する場合も、ビニール等と同様に、まず材料を薄いシート状とし、金型等を用いて簡易鉢１を形成できる。さらに、古紙などのパルプ材料に液状の有機肥料を染み込ませたシート状部材を用いることもできる。このように形成した有機肥料材料よりなる簡易鉢１を用いれば、鉢ごと花壇等に苗木を植え付けた際に、鉢が肥料となり、植物の育成を助け、良好な栽培状態を得ることができる。このようなパルプ材料や有機肥料材料よりなる簡易鉢１を用いる場合には、植物栽培後に簡易鉢１は土化するため、廃棄処分する必要はない。従って、鉢側面部３に側面部破断線１０ａ、１０ｂを設けていなくてもよい。
【００３６】
実施の形態２．
次に、この発明の実施の形態２について図３を用いて説明する。図３（ａ）に示すように、この実施の形態２による簡易鉢１には、底部破断線５ａ、側面部破断線１０ａ、１０ｂに加え、鉢側面部１の半分の高さまでの任意の位置に、ミシン目状の側面開口部形成用破断線１２ａが設けられている。この側面開口部形成用破断線１２ａに沿って鉢側面部３の一部を切り裂き、ミシン目によって囲まれた部分を取り去ると、図３（ｂ）に示すように、側面開口部１２（側面開口部１２を形成するために取り去る部材を同図に側面部材１２ｃとして示す）を形成することができる。この側面開口部１２は、簡易鉢１ごと植物を植え付ける際に、底面開口部１２を形成後、同様に形成する。
【００３７】
側面開口部１２は、鉢全体の高さ（ｈ）の半分から下（１／２ｈまで）の位置に設ける。これは植物の根が下向きに伸びる傾向にあり、鉢の下半分の位置においてよく成長するためである。また、側面開口部形成用破断線１２ａの形状は、所定領域を囲む横長形状（図２（ｂ）の側面部材１２ｃの形状を参照のこと）とすることで、側面開口部１２を横長穴とでき、鉢内から伸びる植物の根１１ｃを、効率良く外へ伸ばすことができる。また、深さ方向に成長場所がない場所に植物を植え付ける際に、側面開口部１２を設けておくことで、横方向に根を成長させることができ、良好な栽培状態を得ることができる。植え付け時には、必要に応じて、底部破断線５ａに沿って底面部材２ｃを取り去り、底面開口部２ａを形成した状態とすることもできる。
【００３８】
また、図３（ａ）に示すように、側面開口部形成用破断線１２ａの両端に位置する部分を、ミシン目状とせず、切り込み１２ｂとすることで、この切り込み１２ｂの部分を保持して側面部材１２ｃを引き剥がし、側面開口部１２を容易に形成することが可能となる。
【００３９】
なお、図３においては、鉢側面部２に、側面部破断線１０ａ、１０ｂを形成している簡易鉢１の例を示したが、廃棄時に、簡易鉢１を展開する必要がない場合などは、この側面部破断線１０ａ、１０ｂを設けず、底部破断線５ａおよび側面開口部形成用破断線１２ａのみを設けた簡易鉢１を用いてもよい。
【００４０】
さらに、図３においては、横長の側面開口部１２を、一つの鉢につき４ヶ所（２行２列）設けた例を示したが、２ヶ所（１行２列）とすることも可能であり、開口部の形状や大きさ、個数については、植え付ける植物の種類に応じて変化させて用いることができる。また、複数の側面開口部形成用破断線１２ａのうち、必要な数だけ開口して用いることが可能であることは言うまでもない。
【図面の簡単な説明】
【００４１】
【図１】この発明の実施の形態１による園芸用簡易鉢の斜視図および底面図である。
【図２】この発明の実施の形態１による園芸用簡易鉢の栽培状態、廃棄状態を示す斜視図である。
【図３】この発明の実施の形態２による園芸用簡易鉢および栽培状態を示す斜視図である。
【符号の説明】
【００４２】
１    園芸用簡易鉢
２    鉢底部
２ａ  底面開口部
２ｂ  底面周端部
２ｃ  底面部材
３    鉢側面部
４    水はけ用穴
５ａ，５ｂ  底部破断線
６ａ〜６ｃ  切り込み（底部）
７ａ〜７ｃ  底面つまみ部
８ａ，８ｂ  切り込み（側面部）
９    側面つまみ部
１０ａ，１０ｂ  側面部破断線
１１ａ  植物地上部
１１ｂ  植物の根
１１ｃ  鉢内容物
１２    側面開口部
１２ａ  側面開口部形成用破断線
１２ｂ  切り込み（開口部）
１２ｃ  側面部材
【図１】
2006081508.tif 000003
【図２】
2006081508.tif 000004
【図３】
2006081508.tif 000005